(57)【要約】【課題】携帯端末機を把持している手でタッチスクリーンのすべての領域をタッチすることができない状況でタッチスクリーンの一部領域を利用してタッチスクリーン全体領域に対するタッチ入力が可能にする。【解決手段】タッチスクリーンの分割された多数のタッチ領域のうちいずれか１つのタッチ領域で入力されるタッチを検知する段階と；前記タッチが検知されれば、前記携帯端末機の傾き状態を検知する段階と；前記検知された携帯端末機の傾き状態によって前記多数のタッチ領域のうちいずれか１つを前記タッチが検知された領域で発生するタッチイベントが反映されるタッチ反映領域として決定する段階と；前記タッチが検知された領域で発生するタッチイベントを前記決定されたタッチ反映領域で発生したタッチイベントとして処理する段階と；を含む。【選択図】図２
2013127790.tif 000002
【特許請求の範囲】
【請求項１】
携帯端末機のタッチ入力方法において、
タッチスクリーンの分割された多数のタッチ領域のうちいずれか１つのタッチ領域で入力されるタッチ入力を検知する段階と；
前記タッチ入力が検知されれば、前記携帯端末機の傾き状態を検知する段階と；
前記検知された携帯端末機の傾き状態によって前記多数のタッチ領域のうちいずれか１つを前記タッチが検知された領域で発生するタッチイベントが反映されるタッチ反映領域として決定する段階と；
前記タッチ入力が検知された領域で発生するタッチイベントを前記決定されたタッチ反映領域で発生したタッチイベントとして処理する段階と；を含むことを特徴とする携帯端末機のタッチ入力方法。
【請求項２】
前記タッチイベントとして処理する段階は、
前記タッチ入力が検知された領域のタッチ座標を前記決定されたタッチ反映領域のタッチ座標に変換する段階を含むことを特徴とする請求項１に記載の携帯端末機のタッチ入力方法。
【請求項３】
前記タッチイベントとして処理する段階は、
前記変換されたタッチ座標にグラフィックオブジェクトを表示する段階をさらに含むことを特徴とする請求項２に記載の携帯端末機のタッチ入力方法。
【請求項４】
前記グラフィックオブジェクトは、
前記携帯端末機の傾き状態変化によって決定される他のタッチ反映領域に移動することを特徴とする請求項３に記載の携帯端末機のタッチ入力方法。
【請求項５】
前記タッチスクリーンのタッチ領域を前記複数のタッチ領域に分割し、タッチ入力を制御する一手タッチモードの活性化可否を決定する段階と；
前記一手タッチモード活性化時に前記一手タッチモードで動作し、前記一手タッチモード非活性化時に前記タッチスクリーンのタッチ領域を分割しない一般タッチモードで動作する段階とをさらに含むことを特徴とする請求項１〜４のいずれか１項に記載の携帯端末機のタッチ入力方法。
【請求項６】
前記携帯端末機の傾き状態を検知する段階は、
前記携帯端末機の傾き状態を基準として上下左右方向のうち少なくとも１つの方向に前記携帯端末機の傾きが既定の一定時間以内に既定の基準値以上変更されるかを決定する段階であることを特徴とする請求項１〜５のいずれか１項に記載の携帯端末機のタッチ入力方法。
【請求項７】
前記決定されたタッチ反映領域に他のタッチ領域と視覚的に区分されるように表示する段階をさらに含むことを特徴とする請求項１〜６のいずれか１項に記載の携帯端末機のタッチ入力方法。
【請求項８】
前記タッチ領域の一つを決定する段階は、前記携帯端末機の傾き状態が変更された後、前記携帯端末機の傾きが以前状態に復元される場合に行われる
ことを特徴とする請求項１〜７のいずれか１項に記載の携帯端末機のタッチ入力方法。
【請求項９】
携帯端末機のタッチ入力装置において、
複数のタッチ領域に分割されるタッチスクリーンと；
前記携帯端末機の傾き状態を測定するセンサー部と；
前記複数のタッチ領域のうちいずれか１つのタッチ領域でタッチ入力が検知されれば、前記携帯端末機の傾き状態を検知し、前記検知された携帯端末機の傾き状態によって前記多数のタッチ領域のうちいずれか１つを前記タッチが検知された領域で発生するタッチイベントが反映されるタッチ反映領域として決定し、前記タッチが検知されたタッチ領域で発生するタッチイベントを前記決定されたタッチ反映領域で発生したタッチイベントとして処理する制御部と、を含むことを特徴とする携帯端末機のタッチ入力装置。
【請求項１０】
前記制御部は、
前記タッチ入力が検知された領域のタッチ座標を前記決定されたタッチ反映領域のタッチ座標に変換することを特徴とする請求項９に記載の携帯端末機のタッチ入力装置。
【請求項１１】
前記制御部は、
前記変換されたタッチ座標にグラフィックオブジェクトを表示するように前記タッチスクリーンを制御することを特徴とする請求項１０に記載の携帯端末機のタッチ入力装置。
【請求項１２】
前記制御部は、
前記携帯端末機の傾き状態変化によって決定される他のタッチ反映領域に前記グラフィックオブジェクトを移動させるタッチスクリーンを制御することを特徴とする請求項９〜１１のいずれか１項に記載の携帯端末機のタッチ入力装置。
【請求項１３】
前記制御部は、
前記携帯端末機の傾き状態を基準として上下左右方向のうち少なくとも１つの方向に前記携帯端末機の傾きが既定の一定時間以内に既定の基準値以上変更されるかどうかを決定することを特徴とする請求項９〜１２のいずれか１項に記載の携帯端末機のタッチ入力装置。
【請求項１４】
前記制御部は、
前記決定されたタッチ反映領域を他のタッチ領域と視覚的に区分して表示するようにタッチスクリーンを制御することを特徴とする請求項９〜１３のいずれか１項に記載の携帯端末機のタッチ入力装置。
【請求項１５】
前記制御部は、
前記携帯端末機の傾き状態が変更された後、前記携帯端末機の傾きが以前状態に復元された時、タッチ領域の一つを前記タッチ反映領域として決定することを特徴とする請求項９〜１３のいずれか１項に記載の携帯端末機のタッチ入力装置。
【発明の詳細な説明】
【技術分野】
【０００１】
本発明は、タッチ入力方法及び装置に関し、特にタッチスクリーンの一部領域を利用してタッチスクリーン全体領域に対してタッチ入力が可能な携帯端末機のタッチ入力方法及び装置に関する。
【背景技術】
【０００２】
情報通信技術と半導体技術などの輝かしい発展に伴い、携帯端末機の普及と利用が急速に増加している。また、前記携帯端末機は、通話機能、音楽再生機能、文字メッセージ送受信機能、デジタル放送受信機能、近距離無線通信機能、インターネット接続機能など多様な機能を提供している。特に、最近の携帯端末機は、動画再生、ゲームなどマルチメディア（Ｍｕｌｔｉｍｅｄｉａ）機能が強化されている。このようにマルチメディア機能が強化されることによって、最近の携帯端末機は、ディスプレイ（Ｄｉｓｐｌａｙ）サイズが大きくなっており、入力の利便性によってタッチスクリーンを採用している。
【０００３】
前記タッチスクリーンを備える携帯端末機のユーザは、指のようなタッチ入力手段でタッチスクリーンをタッチし、タッチ入力を行わなければならない。しかし、前記タッチスクリーンのサイズが大きくなるにつれて、一方の手でタッチスクリーンのすべての領域をタッチするのに困難な場合がある。特に、前記携帯端末機をグリップ（Ｇｒｉｐ）した手でタッチスクリーンのすべての領域をタッチするのに困難な場合がある。このような場合、ユーザは、両方の手を利用するか、携帯端末機を保持した状態で使用しなければならない不便さがある。これにより、最近には、一方の手でタッチスクリーンのすべての領域に対してタッチ入力を行うことができる方策が要求されている。
【発明の概要】
【発明が解決しようとする課題】
【０００４】
本発明は、前述した従来技術の問題点を解決するためになされたもので、本発明の目的は、携帯端末機を把持している手でタッチスクリーンのすべての領域をタッチすることができない状況でタッチスクリーンの一部領域を利用してタッチスクリーン全体領域に対するタッチ入力が可能にする携帯端末機のタッチ入力方法及び装置を提供することにある。
【課題を解決するための手段】
【０００５】
前記目的を達成するための本発明の好ましい構成による携帯端末機のタッチ入力方法は、
タッチスクリーンの分割された多数のタッチ領域のうちいずれか１つのタッチ領域で入力されるタッチ入力を検知する段階と；
前記タッチ入力が検知されれば、前記携帯端末機の傾き状態を検知する段階と；
前記検知された携帯端末機の傾き状態によって前記多数のタッチ領域のうちいずれか１つを前記タッチが検知された領域で発生するタッチイベントが反映されるタッチ反映領域として決定する段階と；
前記タッチ入力が検知された領域で発生するタッチイベントを前記決定されたタッチ反映領域で発生したタッチイベントとして処理する段階と；を含むことを特徴とする。
【０００６】
前記目的を達成するための本発明の好ましい構成による携帯端末機のタッチ入力装置は、
複数のタッチ領域に分割されるタッチスクリーンと；
前記携帯端末機の傾き状態を測定するセンサー部と；
前記複数のタッチ領域のうちいずれか１つのタッチ領域でタッチ入力が検知されれば、前記携帯端末機の傾き状態を検知し、前記検知された携帯端末機の傾き状態によって前記多数のタッチ領域のうちいずれか１つを前記タッチが検知された領域で発生するタッチイベントが反映されるタッチ反映領域として決定し、前記タッチが検知されたタッチ領域で発生するタッチイベントを前記決定されたタッチ反映領域で発生したタッチイベントとして処理する制御部と、を含むことを特徴とする。
【発明の効果】
【０００７】
以上説明したように、本発明の構成による携帯端末機のタッチ入力方法及び装置は、タッチスクリーンを多数の領域に区分し、前記区分された領域のうちいずれか１つの領域を通じてタッチスクリーン全体領域に対するタッチ入力を行うことができる。すなわち、本発明は、指が触れない領域を直接タッチすることなく、タッチ入力を行うことができる。これにより、本発明は、ユーザの利便性を向上させることができる。
【図面の簡単な説明】
【０００８】
【図１】図１は、本発明の実施例による携帯端末機の構成を概略的に示すブロック図である。
【図２】図２は、本発明の実施例による携帯端末機のタッチ入力方法を説明するための流れ図である。
【図３】図３は、本発明の実施例による携帯端末機のタッチ入力方法を説明するための画面例示図である。
【図４】図４は、本発明の他の実施例による携帯端末機のタッチ入力方法を説明するための画面例示図である。
【図５】図５は、本発明のさらに他の実施例による携帯端末機のタッチ入力方法を説明するための画面例示図である。
【発明を実施するための形態】
【０００９】
以下、本発明の好ましい実施例を添付の図面を参照して詳しく説明する。この際、添付の図面において、同一の構成は、できるだけ同一の符号で示していることを留意しなければならない。なお、本発明の要旨に関係のない公知機能及び構成に対する詳細な説明は省略する。
【００１０】
なお、本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも本発明の技術的思想に基づく他の変形例が実施可能であるということは、本発明の属する技術分野における通常の知識を有する者に自明である。
【００１１】
図１は、本発明の実施例による携帯端末機の構成を概略的に示すブロック図である。
図１を参照すれば、本発明の実施例による携帯端末機１００は、センサー部１７０、無線通信部１５０、入力部１４０、タッチスクリーン１３０、格納部１２０及び制御部１１０の構成を含むことができる。前記タッチスクリーン１３０は、表示パネル１３１及びタッチパネル１３２を含むことができ、前記制御部１１０は、傾き認識部１１１、タッチ反映領域決定部１１２、座標変換部１１３、機能実行部１１４を含むことができる
【００１２】
前記無線通信部１５０は、基地局と通話（音声通話及び画像通話を含む）のための通信チャネル及びデータ伝送のためのデータ通信チャネルなどを形成することができる。このために、前記無線通信部１５０は、送信される信号の周波数上昇変換及び増幅する無線周波数送信部（図示せず）、受信される信号を低雑音増幅し、周波数下降変換する無線周波数受信部（図示せず）及び受信信号と送信信号を分離する送受信分離部（図示せず）などを含むことができる。一方、前記携帯端末機１００が無線通信機能を提供しない場合、前記無線通信部１５０は省略されることができる。
【００１３】
前記入力部１４０は、数字または多様な文字情報を入力され、各種機能の設定及び前記携帯端末機１００の機能制御のための入力キー及び機能キーを含むことができる。特に、本発明による前記入力部１４０は、一手タッチモードにオン／オフ（ＯＮ／ＯＦＦ）する入力信号を制御部１１０に伝送することができる。このような入力部１４０は、ボタン式キーパッド（Ｋｅｙ  Ｐａｄ）、ボールジョイスティック（Ｂａｌｌ  Ｊｏｙｓｔｉｃｋ）、オプティカルジョイスティック（Ｏｐｔｉｃａｌ  Ｊｏｙｓｔｉｃｋ）、ホイールキー（Ｗｈｅｅｌ  Ｋｅｙ）、タッチキー（Ｔｏｕｃｈ  ｋｅｙ）、タッチパッド（Ｔｏｕｃｈ  Ｐａｄ）、タッチスクリーン１３０などのような入力スーダンのうちいずれか１つまたはこれらの組合で形成されることができる。
【００１４】
前記タッチスクリーン１３０は、入力機能及び出力機能を行うことができる。このために、前記タッチスクリーン１３０は、出力機能を行う表示パネル１３１及び入力機能を行うタッチパネル１３２を含むことができる。
【００１５】
前記表示パネル１３１は、携帯端末機１００の各種メニューを含めてユーザが入力した情報またはユーザに提供する情報を表示する。すなわち、前記表示パネル１３１は、携帯端末機１００の利用による多様な画面、例えば、待機画面（ホーム画面）、メニュー画面、メッセージ作成画面、通話画面、日程管理画面、住所録画面、ウェブページ出力画面などを提供することができる。特に、本発明の表示パネル１３１は、図３〜図５を参照して後述する多様な画面を提供することができる。このような表示パネル１３１は、液晶表示装置（Ｌｉｑｕｉｄ  Ｃｒｙｓｔａｌ  Ｄｉｓｐｌａｙ：ＬＣＤ）、ＯＬＥＤ（Ｏｒｇａｎｉｃ  Ｌｉｇｈｔ  Ｅｍｉｔｔｅｄ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ）などで形成されることができる。
【００１６】
前記タッチパネル１３２は、表示パネル１３１の前面に装着され、タッチ入力装置、例えばユーザの指またはスタイラスなどの接触によってタッチイベントを生成し、生成されたタッチイベントを制御部１１０に伝達することができる。前記タッチパネル１３２は、タッチ入力手段の接触による物理量（例えば静電容量、抵抗など）の変化を通じてタッチを認識し、タッチの種類（タップ（Ｔａｐ）、ドラッグ（Ｄｒａｇ）、フリック（Ｆｌｉｃｋ）、ダブルタッチ（Ｄｏｕｂｌｅ−ｔｏｕｃｈ）、ロングタッチ（Ｌｏｎｇ−ｔｏｕｃｈ）、マルチタッチ（Ｍｕｌｔｉ−ｔｏｕｃｈ）など）及びタッチされた位置情報を制御部１１０に伝達することができる。このような前記タッチパネル１３２は、本発明の技術分野における通常の知識を有する者において自明なことなので、詳細な説明は省略する。特に、本発明によるタッチパネル１３２のタッチ領域は、一手タッチモード時に多数の領域に分割されることができる。この際、前記タッチパネル１３２は、前記分割された領域のうちいずれか１つの領域で発生するタッチイベント（タッチ、タッチ移動、タッチ解除など）を検知し、前記検知されたタッチイベントを前記制御部１１０に伝送することができる。
【００１７】
前記センサー部１７０は、携帯端末機１００の多様な状態情報を検出することができる。特に、本発明による前記センサー部１７０は、携帯端末機１００の傾き状態情報を検出することができる。前記センサー部１７０は、少なくとも上下左右の４方向に対する傾き状態を検出することができる。前記センサー部１７０は、一手タッチモードで多数のタッチ領域のうちいずれか１つの領域でタッチ検知時に活性化され、携帯端末機１００の傾き状態に対応する情報（センサー値）を制御部１１０に伝送することができる。このようなセンサー部１７０は、ジャイロスコープセンサー（Ｇｙｒｏｓｃｏｐｅ  Ｓｅｎｓｏｒ）、傾斜センサー（Ｔｉｌｔ  Ｓｅｎｓｏｒ）、加速度センサー（Ａｃｃｅｌｅｒａｔｉｏｎ  Ｓｅｎｓｏｒ）、地磁気センサー（Ｇｅｏ−ｍａｇｎｅｔｉｃ  Ｓｅｎｓｏｒ）、重力センサー（Ｇｒａｖｉｔｙ  Ｓｅｎｓｏｒ）のうちいずれか１つまたは組合で生成されることができる。
【００１８】
前記格納部１２０は、携帯端末機１００の運営体制（ＯＳ、Ｏｐｅｒａｔｉｎｇ  Ｓｙｓｔｅｍ）を含めて、その他のオプション（ｏｐｔｉｏｎｓ）機能、例えば、音再生機能、イメージまたは動画再生機能、放送再生機能などに必要な応用プログラムを含めて、ユーザデータ及び通信時に送受信されるデータなどを格納することができる。例えば、前記格納部１２０は、タッチスクリーン１３０運用のためのキーマップやメニューマップなどを格納することができる。ここで、キーマップ、メニューマップは、それぞれ多様な形態で構成されることができる。例えば、前記キーマップは、キーボードマップや、３＊４キーマップ、クォティキーマップなどになることができ、現在活性化されている応用プログラムの運用制御のための制御キーマップになることができる。また、前記メニューマップは、現在活性化されている応用プログラム運用制御のためのメニューマップになることができる。また、前記格納部１２０は、動画ファイル、ゲームファイル、音楽ファイル、映画ファイルなどを格納することができる。特に、本発明による格納部１２０は、一手タッチモードを制御するための一手タッチモード応用プログラムを格納することができる。前記一手タッチモード応用プログラムは、一手タッチモードのオン／オフを制御するルーチン、前記一手タッチモードオン時に多数のタッチ領域のうちいずれか１つの領域でタッチ検知時に携帯端末機１００の傾き変化を検出するルーチン、前記携帯端末機１００の傾き変化によってタッチ反映領域を決定するルーチン、前記タッチ検知された領域で入力されるタッチ座標を前記決定されたタッチ反映領域のタッチ座標に変換するルーチン、タッチイベント発生による機能を行うルーチンなどを含むことができる。また、前記格納部１２０は、携帯端末機１００が上下左右のうち少なくとも一方向に傾いたものと判断するための基準値を格納することができる。例えば、前記基準値は、２０度になることができる。前記基準値は、絶対値ではない相対的な値であって、多数のタッチ領域のうちいずれか１つの領域にタッチが検知された時点での携帯端末機１００の傾き状態で変化された程度を意味する。
【００１９】
前記制御部１１０は、携帯端末機１００の全般的な動作及び携帯端末機１００の内部ブロック間の信号フローを制御し、データを処理するデータ処理機能を行うことができる。特に、本発明による制御部１１０は、既定の機能キー信号またはメニューを用いた選択信号入力によってタッチスクリーン１３０上の多数のタッチ領域のうちいずれか１つの領域を通じてタッチスクリーン１３０全体領域に対するタッチを入力することができる一手タッチモードをオン／オフすることができる。また、前記制御部１１０は、前記一手タッチモードを制御することができる。このために、前記制御部１１０は、傾き認識部１１１、タッチ反映領域決定部１１２、座標変換部１１３、機能実行部１１４を含むことができる。
【００２０】
前記傾き認識部１１１は、センサー部１７０から入力される信号を基盤として携帯端末機１００の傾き状態を検知することができる。例えば、前記傾き検知部１１１は、タッチが検知された時の携帯端末機１００の傾き状態を基準として携帯端末機１００の上下左右方向のうち少なくとも一方向に傾きが既定の基準値（例えば２０度）以上に変わるかを検知することができる。例えば、携帯端末機１００が上下左右方向のうち少なくとも１つの方向に２０度以上傾く場合、前記傾き検知部１１１は、傾き変更を知らせる信号（以下、傾き変更信号）をタッチ反映領域決定部１１２に伝送することができる。
【００２１】
前記タッチ反映領域決定部１１２は、前記傾き検知部１１１から受信される携帯端末機１００の傾き状態によって多数のタッチ領域のうちいずれか１つをタッチ反映領域として決定することができる。例えば、前記タッチ反映領域決定部１１２は、２行２列に配列されたタッチ領域のうち左側下端に位置するタッチ領域（例えば図３の第３領域３）がタッチされた状態で携帯端末機１００の傾き変化がない場合、前記タッチが検知された領域をタッチ反映領域として決定することができる。または、前記タッチ反映領域決定部１１２は、２行２列に配列されたタッチ領域のうち左側下端に位置するタッチ領域（例えば図３の第３領域３）がタッチされた状態で前記携帯端末機１００が右側に傾けられる場合、前記タッチされた領域３の右側に位置する領域（例えば図３の第４領域４）をタッチ反映領域として決定し、前記携帯端末機１００が上側に傾けられる場合、前記タッチされた領域３の上側に位置する領域（例えば図３の第１領域１）をタッチ反映領域として決定し、前記携帯端末機１００が右側及び上側に傾けられる場合、前記タッチされた領域３の対角線に位置する領域（例えば図３の第２領域２）をタッチ反映領域として決定することができる。また、前記タッチ反映領域決定部１１２は、傾き変更信号によって決定されたタッチ反映領域を変更することができる。一方、前記タッチ反映領域決定部１１２は、傾き変更信号が入力されなければ、以前の決定されたタッチ反映領域を維持することができる。
【００２２】
前記座標変換部１１３は、前記タッチ反映領域が決定されれば、前記タッチが検知された領域のタッチ座標を前記決定されたタッチ反映領域のタッチ座標に変換することができる。例えば、前記多数のタッチ領域が同一のサイズを有し、１つのタッチ領域の横（Ｘ軸）サイズ及び縦（Ｙ軸）サイズが１００Ｘ２００のサイズを有するものと仮定すれば、前記座標変換部１１３は、前記タッチ反映領域がタッチ検知領域の右側に位置する場合、Ｘ軸座標に１００を加算して座標を変換し、前記タッチ反映領域がタッチ検知領域の上側に位置する場合、Ｙ軸座標に２００を加算して座標を変換し、前記タッチ反映領域がタッチ検知領域の右上対角線方向に位置する場合、Ｘ軸座標に１００を加算し、Ｙ軸座標に２００を加算して座標を変換することができる。これと反対に、前記座標変換部１１３は、前記タッチ反映領域がタッチ検知領域の左側に位置する場合、Ｘ軸座標に１００を減算して座標を変換し、前記タッチ反映領域がタッチ検知領域の下側に位置する場合、Ｙ軸座標に２００を減算して座標を変換し、前記タッチ反映領域がタッチ検知領域の左下対角線方向に位置する場合、Ｘ軸座標に１００を減算して、Ｙ軸座標に２００を減算して座標を変換することができる。一方、前記タッチ領域とタッチ反映領域が同一の場合、前記座標変換過程は行われない。
【００２３】
前記機能実行部１１４は、タッチ入力に対応する機能を行うことができる。特に、一手タッチモード状態で前記機能実行部１１４は、前記座標変換部１１３から伝達される座標にリンクされた機能を行うことができる。すなわち、前記機能実行部１１４は、携帯端末機１００の傾き状態によって前記タッチ検知領域または前記タッチ反映領域にリンクされた機能を行うことができる。
【００２４】
一方、図１には示されていないが、前記携帯端末機１００は、位置情報受信のためのＧＰＳ（Ｇｌｏｂａｌ  Ｐｏｓｉｔｉｏｎｉｎｇ  Ｓｙｓｔｅｍ）モジュール、放送受信のための放送受信モジュール、ＭＰ３モジュールのようなデジタル音源再生モジュール及びインターネット機能を行うインターネット通信モジュールなどの付加機能を有する構成要素を選択的にさらに含むことができる。このような構成要素は、デジタル機器のコンバージョンス（ｃｏｎｖｅｒｇｅｎｃｅ）傾向によって変形が非常に多様で、すべて列挙することはできないが、本発明による携帯端末機１００は、前記言及された構成要素と同等な水準の構成要素をさらに含むことができる。
【００２５】
図２は、本発明の実施例による携帯端末機のタッチ入力方法を説明するための流れ図である。
【００２６】
図１及び図２を参照すれば、本発明の実施例による制御部１１０は、２０１段階で、一手タッチモードが実行されるかを検知することができる。前記一手タッチモードは、前記タッチスクリーン１３０のタッチ領域を多数のタッチ領域に分割し、前記多数のタッチ領域のうちいずれか１つのタッチ領域を利用してタッチスクリーン１３０の全体領域に対するタッチを入力することができるモードである。
【００２７】
前記一手タッチモードが活性化されない場合、前記制御部１１０は、２０３段階で、当該機能を行うことができる。例えば、前記制御部１１０は、ユーザの要請によって音楽再生機能、動画再生機能などを行うことができる。この際、前記携帯端末機１００は、従来のように前記タッチスクリーン１３０のタッチ領域を分割しない一般タッチモードで動作することができる。
【００２８】
一方、前記一手タッチモードが活性化されれば、前記制御部１１０は、２０５段階で、前記多数のタッチ領域のうちいずれか１つの領域でタッチが検知されるかを決定することができる。前記タッチが検知されない場合、前記制御部１１０は、後述する２１５段階に進行する。一方、前記タッチが検知される場合、前記制御部１１０は、２０７段階で、携帯端末機１００の傾き状態を検知することができる。すなわち、前記制御部１１０は、携帯端末機１００が上下左右方向のうち少なくとも１つの方向に傾いているかを決定することができる。詳細には、前記制御部１１０は、携帯端末機１００の傾きを測定することができるセンサー部１７０を活性化し、前記センサー部１７０から入力される傾き信号を分析し、前記タッチが検知された時点での携帯端末機１００の傾き状態を基準として上下左右のうち少なくとも１つの方向に既設の基準値（例えば２０度）以上傾いているかを決定することができる。
【００２９】
前記制御部１１０は、２１１段階で、前記携帯端末機１００の傾き状態によってタッチ反映領域を決定することができる。例えば、前記携帯端末機１００が傾いていない場合、前記制御部１１０は、前記タッチが検知された領域を前記タッチ反映領域として決定することができる。この際、前記制御部１１０は、前記タッチが検知された領域の特定位置でタッチ解除イベントが発生する場合、前記特定位置でのタッチ解除イベントに割り当てられた機能を行うことができる。または、前記制御部１１０は、タッチされた領域の特定位置でタッチが一定時間以上維持される場合、ロングタッチイベントとして認識し、前記特定位置でのロングタッチイベントに割り当てられた機能を行うことができる。または、前記制御部１１０は、タッチ移動イベントによってウェブページを移動させるか、ストレッチジェスチャー（Ｓｔｒｅｔｃｈ  Ｇｅｓｔｕｒｅ）及びピンチジェスチャー（Ｐｉｎｃｈ  Ｇｅｓｔｕｒｅ）によってウェブページを拡大するか、縮小することができる。
【００３０】
一方、２行２列にタッチ領域が分割された状態で、前記携帯端末機１００が右側に傾いたものと検知される場合、前記制御部１１０は、前記タッチされた領域の右側領域をタッチ反映領域として決定し、前記携帯端末機１００が上側に傾いたものと検知される場合、前記制御部１１０は、前記タッチされた領域の上側領域をタッチ反映領域として決定することができる。
【００３１】
前記タッチ反映領域の決定が完了すれば、前記制御部１１０は、２１３段階で、タッチ検知された領域で発生するタッチイベントを前記決定されたタッチ反映領域で発生したタッチイベントとして処理することができる。このために、前記制御部１１０は、座標変換を行うことができる。ここで、前記座標変換に対する詳細な説明は、前述したので省略する。例えば、前記タッチ検知された領域でタッチ解除イベントが発生する場合、前記制御部１１０は、タッチ解除された位置の座標を前記決定されたタッチ反映領域の座標に変換し、前記変換された座標でのタッチ解除イベントに割り当てられた機能を行うことができる。また、前記タッチ検知された領域で既定の時間以上タッチが維持される場合、前記制御部１１０は、タッチが維持されている座標を前記決定されたタッチ反映領域の座標に変換し、前記変換された座標でのロングタッチイベントに割り当てられた機能を行うことができる。このようなタッチイベントに対する詳細な説明は、図３を参照して後述する。
【００３２】
次に、前記制御部１１０は、２１５段階で、一手タッチモードが終了するかをすることができる。前記一手タッチモードが終了しない場合、前記制御部１１０は、２０５段階に戻り、前述した過程を繰り返すことができる。一方、前記一手タッチモードが終了する場合、前記制御部１１０は、一手タッチモード制御を終了し、一般タッチモードを制御することができる。
【００３３】
図３は、本発明の実施例による携帯端末機のタッチ入力方法を説明するための画面例示図である。以下では、説明の便宜のためにウェブページが出力された場合を例示して説明する。しかし、本発明がこれに限定されるものではなく、タッチを入力することができるすべての画面で適用可能であることは、本発明の技術分野における通常の知識を有する者にとって自明である。また、前記タッチスクリーン１３０は、２行２列、すなわち、４個のタッチ領域に区分されたものと仮定する。
【００３４】
図１〜図３を参照すれば、本発明の実施例による制御部１１０は、参照符号３１０の画面例示図に示されたように、タッチスクリーン１３０上にウェブページを出力することができる。ここで、参照符号３１０の画面例示図に示された４個のタッチ領域１、２、３、４を区分する点線は、設計者の意図によって画面上に表示されてもよく、または表示されなくてもよい。または、前記携帯端末機１００は、前記点線の表示有無をユーザが設定することができるように前記点線の表示をオン／オフすることができるメニューを提供することもできる。
【００３５】
前記ウェブページが出力された状態で、ユーザは、４個のタッチ領域１、２、３、４のうちいずれか１つの領域、例えば第４領域４をタッチすることができる。この時、前記第４領域４がタッチされた時点での携帯端末機１００の傾き状態で前記基準値以上に傾き状態が変化しない場合、前記制御部１１０は、タッチが検知された第４領域４をタッチ反映領域として決定することができる。すなわち、前記携帯端末機１００の傾き変更なしにタッチ解除イベント、ロングタッチイベントまたはタッチ移動イベントが発生する場合、前記制御部１１０は、タッチ解除イベント、ロングタッチイベントまたはタッチ移動イベントを第４領域４で発生したタッチイベントとして処理することができる。例えば、前記制御部１１０は、タッチ解除イベントが発生した位置にリンク（Ｌｉｎｋ）が存在する場合、前記リンクされた機能を行い、ロングタッチイベントが発生する場合、多数のメニューを含むポップアップ窓を出力することができる。または、前記制御部１１０は、タッチ移動イベントが発生する場合、タッチ移動に対応してタッチスクリーン１３０に出力されたウェブページを移動させることができる。
【００３６】
一方、タッチされた第４領域４ではない他の領域に対するタッチ入力を行おうとする場合、ユーザは、携帯端末機１００を特定方向に傾けることができる。例えば、参照符号３２０の画面例示図に示されたように、ユーザは、第１領域１方向に携帯端末機１００を傾けることができる。この際、前記携帯端末機１００の傾けは、ロングタッチイベント認識のために設定された一定時間以内に行われることが好ましい。
【００３７】
前記第１領域１方向への携帯端末機１００の傾き変更が検知されれば、前記制御部１１０は、第１領域１をタッチ反映領域として決定し、第４領域４のタッチ入力を第１領域１のタッチ入力に変換することができる。このために、前記制御部１１０は、座標変換手続を行うことができる。この際、変換された座標にリンクが位置する場合、前記制御部１１０は、前記リンクが選択されたことを知らせるために前記リンクをハイライト（Ｈｉｇｈｌｉｇｈｔ）することができる。例えば、前記制御部１１０は、参照符号３２０の画面例示図に示されたように“速報”リンクをハイライトすることができる。このような状態でタッチ解除イベントが発生する場合、前記制御部１１０は、参照符号３３０の画面例示図に示されたように、“速報”リンクに該当するウェブページを出力することができる。
【００３８】
一方、前記参照符号３２０の画面例示図のような状態で前記一定時間以上タッチが維持されるロングタッチイベント発生時に前記制御部１１０は、前記ロングタッチイベントに割り当てられた機能を行うことができる。例えば、前記制御部１１０は、参照符号３４０の画面例示図に示されたように、前記“速報”リンクに対して実行可能な多数のメニューを含むメニュー窓３０を出力することができる。この際、前記“速報”リンクのロングタッチイベント認識のための一定時間は、第４領域４のタッチ時点ではなく、携帯端末機１００の傾き変更が検知された時点からカウントされることができる。
【００３９】
一方、前記第１領域１がタッチ反映領域として決定された後、前記一定時間以内にタッチ移動イベントが発生する場合、前記制御部１１０は、第４領域４でのタッチ移動によって第１領域１のハイライトを前記タッチ移動方向の次のリンクに移動することができる。例えば、参照符号３５０の画面例示図に示されたように、前記制御部１１０は、第４領域４で発生するタッチ移動イベントによって第１領域１の“速報”リンクに位置するハイライトを“政治”リンクに移動させることができる。
【００４０】
前記参照符号３５０の画面例示図のような状態で前記一定時間以内にタッチ解除イベントが発生する場合、前記制御部１１０は、参照符号３６０の画面例示図のように、“政治”リンクに該当するウェブページを出力することができる。一方、図示してはいないが、“速報”リンクから“政治”リンクにタッチ移動した後、一定時間以上タッチが維持される場合、前記制御部１１０は、“政治”リンクに対して実行可能な多数のメニューを含むメニュー窓を出力することができる。この際、前記制御部１１０は、前記“政治”リンクに対するロングタッチを認識するために、前記第４領域４でタッチ移動が停止した時点からタッチ維持時間をカウントすることができる。
【００４１】
一方、図３では、第４領域４を利用して第１領域１にタッチを入力する場合を例示して説明したが、本発明がこれに限定されない。すなわち、本発明は、多数のタッチ領域のうちいずれか１つの領域を利用して他の領域にタッチを入力することができる。
【００４２】
図４は、本発明の他の実施例による携帯端末機のタッチ入力方法を説明するための画面例示図である。以下では、説明の便宜のためにウェブページが出力された画面を例示して説明する。しかし、本発明がこれに限定されるものではなく、すべての画面で適用可能であることは、本発明の技術分野における通常の知識を有する者にとって自明であろう。また、前記タッチスクリーン１３０は、２行２列、すなわち４個のタッチ領域に区分されたものと仮定する。
【００４３】
図１〜図４を参照すれば、本発明の他の実施例による制御部１１０は、参照符号４１０の画面例示図に示されたように、タッチスクリーン１３０上にウェブページを出力することができる。ここで、前記参照符号４１０の画面例示図に示された４個のタッチ領域１、２、３、４を区分する点線は、設計者の意図によって画面上に表示されてもよく、または表示されなくてもよい。または、前記携帯端末機１１０は、前記点線の表示有無をユーザが設定することができるように前記点線の表示をオン／オフすることができるメニューを提供することもできる。
【００４４】
前記ウェブページが出力された状態でユーザは４個のタッチ領域１、２、３、４のうちいずれか１つの領域、例えば第４領域４をタッチすることができる。この際、前記第４領域４がタッチされた時点での携帯端末機１００の傾き状態で前記基準値以上に傾き状態が変化しない場合、前記制御部１１０は、タッチが検知された第４領域４をタッチ反映領域として決定することができる。すなわち、前記携帯端末機１００の傾き変更なしにタッチ解除イベント、ロングタッチイベントまたはタッチ移動イベントが発生する場合、前記制御部１１０は、図３で前述したように、タッチ解除イベント、ロングタッチイベントまたはタッチ移動イベントを第４領域４で発生したタッチイベントとして処理することができる。
【００４５】
一方、前記タッチされた第４領域４ではない他の領域に対するタッチ入力を行おうとする場合、ユーザは、携帯端末機１００を特定方向に傾けることができる。例えば、参照符号４２０の画面例示図に示されたように、ユーザは、第１領域１方向に携帯端末機１００を傾けることができる。この際、前記携帯端末機１００の傾きは、ロングタッチイベント認識のために設定された一定時間以内に行われることが好ましい。
【００４６】
前記第１領域１方向への携帯端末機１００の傾き変更が検知されれば、前記制御部１１０は、第１領域１をタッチ反映領域として決定し、第４領域４のタッチ入力を第１領域１のタッチ入力に変換することができる。このために、前記制御部１１０は、座標変換手続を行うことができる。この際、前記制御部１１０は、変換された座標にグラフィックオブジェクト（Ｇｒａｐｈｉｃ  Ｏｂｊｅｃｔ）４０、例えば矢印形状のイメージ４０を出力することができる。
【００４７】
前記参照符号４２０の画面例示図のような状態で、ユーザは、参照符号４３０の画面例示図に示されたように、特定リンクを選択するために第４領域４でタッチ移動を行うことができる。前記第４領域４でタッチ移動が発生する場合、前記制御部１１０は、タッチ移動に対応して前記第１領域１のグラフィックオブジェクト４０を移動させることができる。この際、前記グラフィックオブジェクト４０がリンク情報を有する領域に移動する場合、前記制御部１１０は、参照符号４３０の画面例示図に示されたように、グラフィックオブジェクト４０の形状を変更することができる。一方、前記制御部１１０は、前記携帯端末機１００の傾き状態が変化し、タッチ反映領域が変更される場合、前記グラフィックオブジェクト４０を前記変更されたタッチ反映領域に移動させることができる。
【００４８】
一方、図３との重複説明を避けるために、図４には示されていないが、前記制御部１１０は、図３で前述したように、前記第４領域４で発生するタッチイベントを前記タッチ反映領域として決定された第１領域１で発生するタッチイベントとして処理することができる。
【００４９】
図５は、本発明のさらに他の実施例による携帯端末機のタッチ入力方法を説明するための画面例示図である。
【００５０】
図１〜図５を参照すれば、本発明のさらに他の実施例によるタッチスクリーン１３０のタッチ領域は、３行２列に配列された６個のタッチ領域１１、１２、１３、１４、１５、１６に区分されることができる。
【００５１】
図５の参照符号５１０の画面例示図に示されたように、前記６個のタッチ領域１１、１２、１３、１４、１５、１６のうち第６領域１６がタッチされた状態で上側方向に携帯端末機１００が傾けられる場合、前記制御部１１０は、第４領域１４をタッチ反映領域として決定し、座標変換手続を行うことができる。その後、前記制御部１１０は、参照符号５２０の画面例示図に示されたように、変換された座標にグラフィックオブジェクト４０を表示することができる。すなわち、前記制御部１１０は、第４領域１４にグラフィックオブジェクト４０を表示することができる。
【００５２】
前記参照符号５２０のような状態で上側傾きが既定の一定時間（例えば１秒）以上維持される場合、前記制御部１１０は、参照符号５３０の画面例示図に示されたように、第２領域１２をタッチ反映領域として決定し、座標変換手続を行った後、グラフィックオブジェクト４０を第２領域１２に移動させることができる。一方、前記参照符号５２０のような状態で、左側に携帯端末機１００が傾く場合、前記制御部１１０は、参照符号５４０の画面例示図に示されたように、第３領域１３をタッチ反映領域として決定し、座標変換手続を行った後、グラフィックオブジェクト４０を第３領域１３に移動させることができる。このように、前記制御部１１０は、前記携帯端末機１００の傾き状態変化によって決定されるタッチ反映領域に前記グラフィックオブジェクト４０を移動させることができる。
【００５３】
前述したように、携帯端末機１００の傾き状態検知を通じて前記タッチ反映領域の選択が完了すれば、ユーザは、携帯端末機１００を元々の傾き（例えば第６領域１６でタッチが検知された時の傾き）に復元することができる。この際、前記制御部１１０は、ロングタッチイベントを認識するために携帯端末機１００の傾きが復元された時点からタッチ維持時間をカウントすることができる。
【００５４】
前記携帯端末機１００の傾きが復元された以後の過程は、図３で前述したものと同様である。例えば、前記制御部１１０は、参照符号５５０の画面例示図に示されたように、第６領域１６でのタッチ移動イベントによって第４領域１４のグラフィックオブジェクト４０を移動させることができる。または、前記制御部１１０は、タッチ解除イベント、ロングタッチイベント発生による機能実行を制御することができる。
【００５５】
一方、図５では、グラフィックオブジェクト４０の移動を通じて決定されたタッチ反映領域をユーザが認知するものと説明したが、本発明はこれに限定されない。すなわち、前記制御部１１０は、ユーザが決定されたタッチ反映領域を容易に認知することができるように前記決定されたタッチ反映領域に他の領域と視覚的に区分して表示することができる。例えば、前記制御部１１０は、携帯端末機１００の傾き状態によって選択されるタッチ反映領域全体をハイライト表示し、携帯端末機１００の傾きが元の状態に戻る場合、前記タッチ反映領域のハイライトを除去することができる。または、前記制御部１１０は、携帯端末機１００の傾き状態によって選択されるタッチ反映領域の明暗を異なるように表示し、携帯端末機１００の傾きが元の状態に戻る場合、選択されたタッチ反映領域の明暗を元通りに復元することができる。
【００５６】
前述したような本発明の実施例による携帯端末機のタッチ入力方法は、多様なコンピュータ手段を通じて行われることができるプログラム命令形態で具現され、コンピュータで読取可能な記録媒体に記録されることができる。この際、前記コンピュータで読取可能な記録媒体は、プログラム命令、データファイル、データ構造などを単独に、または組み合わせて含むことができる。一方、記録媒体に記録されるプログラム命令は、本発明のために特別に設計され構成されたものであるか、またはコンピュータソフトウェア当業者に公知されて使用可能なものであってもよい。前記コンピュータで読取可能な記録媒体には、ハードディスク、フロッピー（登録商標）ディスク及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプチカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ（Ｒｅａｄ  Ｏｎｌｙ  Ｍｅｍｏｒｙ）、ＲＡＭ、フラッシュメモリなどのようなプログラム命令を格納し実行するように特別に構成されたハードウェア装置が含まれる。また、プログラム命令には、コンパイラーによって作られるもののような機械語コードだけでなく、インタプリターなどを利用してコンピュータによって実行され得る高級言語コードを含む。前述したハードウェア装置は、本発明の動作を実行するために１つ以上のソフトウェアモジュールとして作動するように構成されることができる。
【００５７】
以上では、本発明の実施例による携帯端末機のタッチ入力方法及び装置について本明細書及び図面を通じて好ましい実施例について説明し、たとえ特定用語が使用されたとしても、これは、ただ本発明の技術内容を容易に説明し、発明の理解を助けるために一般的な意味として使用されたものに過ぎず、本発明が前述した実施例に限定されるものではない。すなわち、本発明の技術的思想に基づく多様な実施例が可能であることは、本発明の属する技術分野における通常の知識を有する者にとって自明である。
【符号の説明】
【００５８】
１００  携帯端末機
１１０  制御部
１２０  格納部
１３０  タッチスクリーン
１４０  入力部
１５０  無線通信部
１７０  センサー部
１１１  傾き検知部
１１２  タッチ反映領域決定部
１１３  座標変換部
１１４  機能実行部
１３１  表示パネル
１３２  タッチパネル
４０  グラフィックオブジェクト
【図１】
2013127790.tif 000003
【図２】
2013127790.tif 000004
【図３】
2013127790.tif 000005
【図４】
2013127790.tif 000006
【図５】
2013127790.tif 000007